(57)【特許請求の範囲】
【請求項１】
樽容器の口金に螺合されるブッシュと、前記ブッシュの内側に設けられるダウンチューブと、前記ブッシュに形成された弁座と前記ダウンチューブとの間に配置されるガスバルブと、前記ブッシュに対して回転させることにより前記ブッシュの下端部に形成された爪部に対して着脱可能に装着されるリテイニングディスクと、前記ガスバルブと前記リテイニングディスクとの間に配置されて、前記ガスバルブを前記弁座に押圧するとともに、前記リテイニングディスクを前記爪部に押圧する圧縮バネと、を備えるフィッティングの保守装置であって、
前記リテイニングディスクを前記弁座側に押圧する押圧部と、
前記押圧部による前記リテイニングディスクの押圧量を調整する調整部と、を備える、
フィッティングの保守装置。
【請求項２】
前記押圧部は、
前記弁座に対して前記爪部が上方を向くように前記フィッティングが載置されて、前記フィッティングを上昇及び下降させる昇降部と、
前記昇降部の上方に配置されて、前記昇降部により上昇される前記フィッティングのうち前記リテイニングディスクにのみ当接されるヘッド部と、を備え、
前記調整部は、前記昇降部による前記フィッティングの上昇高さを調整する、
請求項１に記載のフィッティングの保守装置。
【請求項３】
前記昇降部は、
基台に固定されたシリンダと、
ガス圧により前記シリンダに対して上昇及び下降するロッドと、を備える、
請求項２に記載のフィッティングの保守装置。
【請求項４】
前記調整部は、
前記基台に固定される基台側固定部と、
前記ロッドに固定されて、前記基台側固定部に衝突することにより前記ロッドの上昇を停止させるロッド側固定部と、を備える、
請求項３に記載のフィッティングの保守装置。
【請求項５】
前記ロッド側固定部又は前記基台側固定部の何れか一方は、前記ロッド側固定部又は前記基台側固定部の何れか他方側に向けて伸縮可能である、
請求項４に記載のフィッティングの保守装置。
【請求項６】
前記ヘッド部は、前記昇降部に向けて棒状に延びて、前記リテイニングディスクに当接される複数の突起部を備える、
請求項３〜５の何れか一項に記載のフィッティングの保守装置。
【請求項７】
前記ヘッド部は、前記ロッドの中心軸線を中心とした円筒状の円筒部を更に備え、
前記複数の突起部は、前記円筒部から延びる、
請求項６に記載のフィッティングの保守装置。
【請求項８】
前記昇降部は、前記ガスバルブを上昇及び下降させる、
請求項２〜７の何れか一項に記載のフィッティングの保守装置。
【請求項９】
前記昇降部は、前記ブッシュを上昇及び下降させる、
請求項２〜７の何れか一項に記載のフィッティングの保守装置。
【請求項１０】
前記昇降部は、前記ブッシュに対して前記リテイニングディスクを回転させる回転部を更に備える、
請求項２〜９の何れか一項に記載のフィッティングの保守装置。
【請求項１１】
樽容器の口金に螺合されるブッシュと、前記ブッシュの内側に設けられるダウンチューブと、前記ブッシュに形成された弁座と前記ダウンチューブとの間に配置されるガスバルブと、前記ブッシュに対して回転させることにより前記ブッシュの下端部に形成された爪部に対して着脱可能に装着されるリテイニングディスクと、前記ガスバルブと前記リテイニングディスクとの間に配置されて、前記ガスバルブを前記弁座に押圧するとともに、前記リテイニングディスクを前記爪部に押圧する圧縮バネと、を備えるフィッティングの保守方法であって、
前記リテイニングディスクを前記弁座側に押圧する押圧ステップと、
前記押圧ステップによる前記リテイニングディスクの押圧量を調整する調整ステップと、を備える、
フィッティングの保守方法。
【請求項１２】
前記押圧ステップでは、前記弁座に対して前記爪部が上方を向くように前記フィッティングを配置し、前記フィッティングを上昇させるとともに、前記リテイニングディスクの設定高さ以上の上昇を阻止し、
前記調整ステップでは、前記押圧ステップにおける前記フィッティングの上昇高さを調整する、
請求項１１に記載のフィッティングの保守方法。
【発明の詳細な説明】
【技術分野】
【０００１】
本発明は、樽容器の口金に取り付けられるフィッティングの保守装置及びフィッティングの保守方法に関する。
【背景技術】
【０００２】
生ビールなどの飲料を貯留する樽容器の口金には、樽容器から飲料を送り出すためのフィッティングが取り付けられる（例えば、特許文献１参照）。
【０００３】
フィッティングは、口金に螺合されるブッシュと、ブッシュの内側に配置されて樽容器の底部まで延びるダウンチューブと、ブッシュに形成された弁座とダウンチューブとの間に配置されるガスバルブと、ダウンチューブ内に配置される飲料バルブと、ブッシュに対して回転させることによりブッシュの下端部に形成された爪部に対して着脱可能に装着されるリテイニングディスクと、ガスバルブとリテイニングディスクとの間に配置されてガスバルブを弁座に押圧するとともにリテイニングディスクを爪部に押圧する圧縮バネと、を備える。このように構成されるフィッティングでは、ガスバルブが開かれると、ブッシュとダウンチューブとの間のガス流路から樽容器内に炭酸ガスが送り込まれ、飲料バルブが開かれると、ダウンチューブ内の液体流路から樽容器内の飲料が送り出される。
【先行技術文献】
【特許文献】
【０００４】
【特許文献１】特開平０９−２０７９９４号公報
【発明の概要】
【発明が解決しようとする課題】
【０００５】
ところで、ガスバルブは、定期的に保守を行う必要がある。保守の内容としては、消耗品であるガスバルブの交換や、部品の洗浄などがある。このような保守を行うためには、フィッティングを分解及び組立する必要がある。しかしながら、リテイニングディスクは圧縮バネにより爪部に押圧されているため、専用の冶具等を用いてリテイニングディスクを弁座側に押圧しないと、ブッシュに対してリテイニングディスクを回転させることができない。
【０００６】
フィッティングの構造は製造会社ごとに異なるため、一つのフィッティングの保守装置では、複数の製造会社のフィッティングを分解及び組立して保守することができない。
【０００７】
そこで、本発明は、複数種類のフィッティングの保守を可能とするフィッティングの保守装置及びフィッティングの保守方法を提供することを目的とする。
【課題を解決するための手段】
【０００８】
発明者らは、複数の製造会社が製造した各フィッティングの構造を分析したところ、各フィッティング間で、ブッシュに対してリテイニングディスクを回転可能とするためにリテイニングディスクを弁座側に押し込む量や押し込む高さ位置が異なるとの知見を得た。
【０００９】
そこで、本発明に係るフィッティングの保守装置は、樽容器の口金に螺合されるブッシュと、ブッシュの内側に設けられるダウンチューブと、ブッシュに形成された弁座とダウンチューブとの間に配置されるガスバルブと、ブッシュに対して回転させることによりブッシュの下端部に形成された爪部に対して着脱可能に装着されるリテイニングディスクと、ガスバルブとリテイニングディスクとの間に配置されて、ガスバルブを弁座に押圧するとともに、リテイニングディスクを爪部に押圧する圧縮バネと、を備えるフィッティングの保守装置であって、リテイニングディスクを弁座側に押圧する押圧部と、押圧部によるリテイニングディスクの押圧量を調整する調整部と、を備える。
【００１０】
本発明に係るフィッティングの保守装置では、押圧部によりリテイニングディスクを弁座側に押圧すると、リテイニングディスクが弁座側に押し込まれることで、圧縮バネによる爪部に対するリテイニングディスクの押圧力が解除又は緩和される。これにより、ブッシュに対してリテイニングディスクを回転させて、爪部によるリテイニングディスクの係止を解除させることができるため、ブッシュからリテイニングディスクを取り外すことができる。ここで、上述したように、複数の製造会社が製造した各フィッティング間で、ブッシュに対してリテイニングディスクを回転可能とするためにリテイニングディスクを弁座側に押し込む量が異なる。しかしながら、調整部により、製造会社ごとに押圧部によるリテイニングディスクの押圧量を調整することで、複数の製造会社が製造した各フィッティンについて、リテイニングディスクを弁座側に押し込み、爪部に対してリテイニングディスクを回転させて、爪部からリテイニングディスクを取り外すことができる。
【００１１】
押圧部は、弁座に対して爪部が上方を向くようにフィッティングが載置されて、フィッティングを上昇及び下降させる昇降部と、昇降部の上方に配置されて、昇降部により上昇されるフィッティングのうちリテイニングディスクにのみ当接されるヘッド部と、を備え、調整部は、昇降部によるフィッティングの上昇高さを調整してもよい。このフィッティングの保守装置では、昇降部により、弁座に対して爪部が上方を向くように載置されたフィッティングを上昇させると、ヘッド部が、フィッティングのうちリテイニングディスクにのみ当接されることで、リテイニングディスクの上昇が阻止される。すると、リテイニングディスクが弁座側に押し込まれて、圧縮バネによる爪部に対するリテイニングディスクの押圧力が解除又は緩和される。これにより、爪部に対してリテイニングディスクを回転させて、ブッシュからリテイニングディスクを取り外すことができる。そして、調整部により、昇降部によるフィッティングの上昇高さを調整する。これにより、複数の製造会社が製造した各フィッティンについて、リテイニングディスクを弁座側に押し込み、爪部に対してリテイニングディスクを回転させて、爪部からリテイニングディスクを取り外すことができる。
【００１２】
昇降部は、基台に固定されたシリンダと、ガス圧によりシリンダに対して上昇及び下降するロッドと、を備えてもよい。このフィッティングの保守装置では、基台に固定されたシリンダに対してロッドをガス圧により上昇及び下降させることで、フィッティングを簡易かつ確実に上昇及び下降させることができる。
【００１３】
調整部は、基台に固定される基台側固定部と、ロッドに固定されて、基台側固定部に衝突することによりロッドの上昇を停止させるロッド側固定部と、を備えてもよい。このフィッティングの保守装置では、ロッドに固定されたロッド側固定部が基台に固定された基台側固定部に衝突することで、ロッドの上昇が停止する。これにより、フィッティングの上昇高さを正確に規定することができる。しかも、ロッドは、ガス圧により上昇するため、基台側固定部及びロッド側固定部に生じる衝撃を小さく抑えることができる。
【００１４】
ロッド側固定部又は基台側固定部の何れか一方は、ロッド側固定部又は基台側固定部の何れか他方側に向けて伸縮可能であってもよい。このフィッティングの保守装置では、ロッド側固定部が基台側固定部に衝突することでロッドの上昇が停止することから、ロッド側固定部又は基台側固定部の何れか一方を、ロッド側固定部又は基台側固定部の何れか他方側に向けて伸縮させて、ロッド側固定部と基台側固定部との間隔を伸縮させることで、フィッティングの上昇高さを容易かつ確実に調整することができる。
【００１５】
また、発明者らは、複数の製造会社が製造した各フィッティングの構造を分析したところ、各フィッティング間で、リテイニングディスクを押し込む位置が異なるとともに、リテイニングディスクの周りに障害物が存在するものもあるとの知見を得た。そこで、上記のフィッティング保守装置では、ヘッド部は、昇降部に向けて棒状に延びて、リテイニングディスクに当接される複数の突起部を備えてもよい。このフィッティングの保守装置では、昇降部に向けて棒状に延びる複数の突起部がリテイニングディスクに当接されるため、複数の製造会社が製造した各フィッティンを分解又は組立する際に、ヘッド部をリテイニングディスクのみに当接させ易くなる。
【００１６】
また、ヘッド部は、ロッドの中心軸線を中心とした円筒状の円筒部を更に備え、複数の突起部は、円筒部から延びてもよい。このフィッティングの保守装置では、複数の突起部が、ロッドの中心軸線を中心とした円筒状の円筒部から延びているため、円筒部の肉厚を薄くすることで、ブッシュとダウンチューブとの間に他の障害物があったとしても、ヘッド部が当該障害物に当接するのを抑制することができる。
【００１７】
昇降部は、ガスバルブを上昇及び下降させてもよい。このフィッティングの保守装置では、昇降部によりガスバルブを上昇及び下降させると、ヘッド部によりリテイニングディスクが弁座側に押し込まれるとともに、昇降部によりガスバルブがリテイニングディスク側に押し込まれる。これにより、圧縮バネによる爪部に対するリテイニングディスクの押圧力が解除又は緩和されるだけでなく、圧縮バネによる弁座に対するガスバルブの押圧力も解除又は緩和される。これにより、爪部に対してリテイニングディスクを更に回転させ易くすることができる。
【００１８】
また、昇降部は、ブッシュを上昇及び下降させてもよい。このフィッティングの保守装置では、昇降部によりブッシュを上昇及び下降させると、ヘッド部によりリテイニングディスクが弁座側に押し込まれることで、圧縮バネによる爪部に対するリテイニングディスクの押圧力が解除又は緩和される。これにより、爪部に対してリテイニングディスクを回転させ易くすることができる。
【００１９】
また、昇降部は、ブッシュに対してリテイニングディスクを回転させる回転部を更に備えてもよい。このフィッティングの保守装置では、回転部により、ブッシュに対してリテイニングディスクを回転させることで、ブッシュに対してリテイニングディスクを容易に着脱することができる。
【００２０】
本発明に係るフィッティングの保守方法は、樽容器の口金に螺合されるブッシュと、ブッシュの内側に設けられるダウンチューブと、ブッシュに形成された弁座とダウンチューブとの間に配置されるガスバルブと、ブッシュに対して回転させることによりブッシュの下端部に形成された爪部に対して着脱可能に装着されるリテイニングディスクと、ガスバルブとリテイニングディスクとの間に配置されて、ガスバルブを弁座に押圧するとともに、リテイニングディスクを爪部に押圧する圧縮バネと、を備えるフィッティングの保守方法であって、リテイニングディスクを弁座側に押圧する押圧ステップと、押圧ステップによるリテイニングディスクの押圧量を調整する調整ステップと、を備える。
【００２１】
本発明に係るフィッティングの保守方法では、押圧ステップによりリテイニングディスクを弁座側に押圧すると、リテイニングディスクが弁座側に押し込まれることで、圧縮バネによる爪部に対するリテイニングディスクの押圧力が解除又は緩和される。これにより、ブッシュに対してリテイニングディスクを回転させて、爪部に対するリテイニングディスクの係止を解除させることができるため、ブッシュからリテイニングディスクを取り外すことができる。ここで、上述したように、複数の製造会社が製造した各フィッティング間で、ブッシュに対してリテイニングディスクを回転可能とするためにリテイニングディスクを弁座側に押し込む量が異なる。しかしながら、調整ステップにより、製造会社ごとに押圧部によるリテイニングディスクの押圧量を調整することで、複数の製造会社が製造した各フィッティンについて、リテイニングディスクを弁座側に押し込み、爪部に対してリテイニングディスクを回転させて、爪部からリテイニングディスクを取り外すことができる。
【００２２】
押圧ステップでは、弁座に対して爪部が上方を向くようにフィッティングを配置し、フィッティングを上昇させるとともに、リテイニングディスクの設定高さ以上の上昇を阻止し、調整ステップでは、押圧ステップにおけるフィッティングの上昇高さを調整してもよい。このフィッティングの保守方法では、押圧ステップにおいて、弁座に対して爪部が上方を向くように載置されたフィッティングを上昇させている際に、テイニングディスクの設定高さ以上の上昇を阻止する。すると、リテイニングディスクが弁座側に押し込まれて、圧縮バネによる爪部に対するリテイニングディスクの押圧力が解除又は緩和される。これにより、爪部に対してリテイニングディスクを回転させて、ブッシュからリテイニングディスクを取り外すことができる。そして、調整ステップにおいて、押圧ステップにおけるフィッティングの上昇高さを調整する。これにより、複数の製造会社が製造した各フィッティンについて、リテイニングディスクを弁座側に押し込み、爪部に対してリテイニングディスクを回転させて、爪部からリテイニングディスクを取り外すことができる。
【発明の効果】
【００２３】
本発明によれば、複数種類のフィッティングの保守が可能となる。
【図面の簡単な説明】
【００２４】
【図１】樽容器の口金に取り付けられたフィッティングの断面図である。
【図２】フィッティングの平面図である。
【図３】フィッティングの底面図である。
【図４】リテイニングディスクの装着部分を下方から見た斜視図である。
【図５】リテイニングディスクを下方から見た斜視図である。
【図６】図３に示すＶＩ−ＶＩ線における断面図である。
【図７】リテイニングディスクを弁座側に押し込んだ状態を示す断面図である。
【図８】リテイニングディスクを弁座側に押し込むとともにガスバルブをリテイニングディスク側に押し込んだ状態を示す断面図である。
【図９】図６と同じ断面における遷移断面図である。
【図１０】第一実施形態に係るフィッティングの保守装置を示す正面図である。
【図１１】図１０に示すフィッティングの保守装置にフィッティングを取り付けた状態を示す正面図である。
【図１２】図１１に示すフィッティングの保守装置において昇降部のロッドを上昇させた状態を示す正面図である。
【図１３】回転部を示す図であり、（ａ）は平面図、（ｂ）は側面図、（ｃ）は斜視図である。
【図１４】ヘッドを示す図であり、（ａ）は側面図、（ｂ）は正面図、（ｃ）は底面図である。
【図１５】調整部を示す図であり、（ａ）は平面図、（ｂ）は断面図である。
【図１６】調整部の分解図であり、（ａ）はロッド側固定部の断面図、（ｂ）は基台側固定部の断面図である。
【図１７】他のフィッティングの断面図である。
【図１８】他のフィッティングの断面図である。
【図１９】他のフィッティングの断面図である。
【図２０】第二実施形態に係るフィッティングの保守装置を示す正面図である。
【図２１】図２０に示すフィッティングの保守装置にフィッティングを取り付けた状態を示す正面図である。
【図２２】図２１に示すフィッティングの保守装置において昇降部のロッドを上昇させた状態を示す正面図である。
【図２３】回転部を示す図であり、（ａ）は平面図、（ｂ）は側面図、（ｃ）は斜視図である。
【発明を実施するための形態】
【００２５】
以下、図面を参照して、本発明に係るフィッティングの保守装置及びフィッティングの保守方法の好適な実施形態について詳細に説明する。なお、全図中、同一又は相当部分には同一符号を付すこととする。また、「フィッティングの保守装置」及び「フィッティングの保守方法」を、それぞれ「保守装置」及び「保守方法」ともいう。
【００２６】
［第一実施形態］
本実施形態に係るフィッティングの保守装置及びフィッティングの保守方法は、生ビールなどの飲料を貯留する樽容器の口金に取り付けられて樽容器から飲料を送り出すためのフィッティングを分解及び組立して保守を行う装置及び方法である。そこで、まず、フィッティングの構造について説明する。
【００２７】
［フィッティングの構造］
図１は、樽容器の口金にフィッティングを取り付けた状態を示す断面図である。図２は、フィッティングの平面図である。図３は、フィッティングの底面図である。図４は、リテイニングディスクの装着部分を下方から見た斜視図である。図１〜図４に示すように、フィッティング１は、樽容器１００の口金１０１に取り付けられて、樽容器から飲料を送り出すためのものである。なお、フィッティング１の上及び下の方向は、フィッティングが口金１０１に取り付けられた状態における上及び下の方向をいう。
【００２８】
フィッティング１は、主に、ブッシュ２と、ダウンチューブ３と、飲料バルブ４と、液体流路用圧縮バネ５と、ガスバルブ６と、ストッパ７と、リテイニングディスク８と、圧縮バネ９と、を備える。
【００２９】
ブッシュ２は、口金１０１に螺合される部材である。ブッシュ２は、円筒状に形成されており、ブッシュ２の外周面には、口金１０１に螺合される雄ネジが刻設されている。ブッシュ２の内周面には、ブッシュ２の上下方向における上端部において半径方向内側に延びる一対の係止片２ａと、ブッシュ２の上下方向における中間部において半径方向内側に延びる弁座２ｂと、ブッシュ２の上下方向における下端部において半径方向内側に延びる複数の爪部２ｃと、が形成されている。なお、ブッシュ２の下端部とは、ブッシュ２の下端だけでなく、ブッシュ２の下端近傍も含む意味である。一対の係止片２ａは、互いに対向する位置に配置されている。弁座２ｂは、ガスバルブ６が押圧される部位であり、ブッシュ２の内周面全域に形成されている。弁座２ｂは、爪部２ｃが形成されるブッシュ２の下端側且つブッシュ２の径方向内側に向けられている。爪部２ｃは、リテイニングディスク８が装着される部位である。爪部２ｃは、ブッシュ２の内周面に沿った円弧状に形成されている。なお、本実施形態では、ブッシュ２に３個の爪部２ｃが形成されているものとする。
【００３０】
ダウンチューブ３は、樽容器１００内の飲料を送り出す部材である。ダウンチューブ３は、直線状に延びる円管状に形成されている。ダウンチューブ３は、ブッシュ２の内側に配置されて、ブッシュ２から樽容器の底部まで延びている。ブッシュ２とダウンチューブ３との間の空間は、樽容器１００内にガスを送り込むガス流路Ｇとなる。ダウンチューブ３の内側空間は、樽容器１００内から飲料が送り出される液体流路Ｌとなる。ダウンチューブ３の上下方向における上端部には、半径方向外側に向けて広がる上端フランジ部３ａが形成されている。ダウンチューブ３の上下方向における中間部には、上側部分に対して下側部分の内径が小さくなる段差部３ｂが形成されている。段差部３ｂは、飲料バルブ４よりも下方に位置している。
【００３１】
飲料バルブ４は、ダウンチューブ３内の液体流路Ｌを開閉する弁として機能する部材である。飲料バルブ４は、断面略円形に形成されて、ダウンチューブ３内に配置されている。
【００３２】
液体流路用圧縮バネ５は、飲料バルブ４を上方に付勢する部材である。液体流路用圧縮バネ５は、ダウンチューブ３の段差部３ｂと飲料バルブ４との間に配置されている。そして、液体流路用圧縮バネ５は、段差部３ｂに係止されることで、ダウンチューブ３に対して飲料バルブ４を上方に付勢する。
【００３３】
ガスバルブ６は、ブッシュ２とダウンチューブ３との間のガス流路Ｇを開閉する弁として機能する部材である。ガスバルブ６は、円環状に形成されて、ダウンチューブ３の上端フランジ部３ａに取り付けられている。弁座２ｂとダウンチューブ３との間に配置されるとともに、ダウンチューブ３と飲料バルブ４との間に配置されている。
【００３４】
ガスバルブ６は、ガスバルブ６の形状保持機能を有する芯金６ａと、ガス流路Ｇ及び液体流路Ｌを開閉する弁体としての機能を有する弁部６ｂと、備える。芯金６ａは、金属などの硬質材料により形成されている。弁部６ｂは、ゴムなどの軟質材料により形成されている。そして、上端フランジ部３ａが圧縮バネ９により上方に付勢されて、弁部６ｂが弁座２ｂに押圧されることで、ガス流路Ｇが閉じられる。また、飲料バルブ４が液体流路用圧縮バネ５により上方に付勢されて、飲料バルブ４が弁部６ｂに押圧されることで、液体流路Ｌが閉じられる。
【００３５】
ストッパ７は、フィッティング１が口金１０１から抜けるのを防止する部材である。ストッパ７は、ダウンチューブ３の上端フランジ部３ａとガスバルブ６との間に固定される固定部７ａと、固定部７ａから下方に延びてブッシュ２の側面開口２ｄから突出する突出部７ｂと、を備える。このため、通常時は、側面開口２ｄから突出部７ｂが突出しているため、フィッティング１が口金１０１から抜けないようになっている。一方、ガスバルブ６を押し下げると、突出部７ｂが側面開口２ｄからブッシュ２内に没入して、口金１０１からフィッティング１を抜き取ることが可能となる。
【００３６】
図５は、リテイニングディスクを下方から見た斜視図である。図６は、図３に示すＶＩ−ＶＩ線における断面図である。図１〜図６に示すように、リテイニングディスク８は、ブッシュ２の爪部２ｃに装着される部材である。リテイニングディスク８は、中央が開口した円板状に形成されており、ブッシュ２に対して回転することにより、爪部２ｃに対して脱着可能に装着される。なお、爪部２ｃに対してリテイニングディスク８を脱着するために、ブッシュ２に対してリテイニングディスク８を回転させる方向を、回転方向Ａ（図３参照）という。
【００３７】
リテイニングディスク８は、平板状の平板部８ａと、平板部８ａに対して平板部８ａの一方面側に窪んだ係止凹部８ｂと、平板部８ａに対して平板部８ａの他方面側に捲れ上がった解除片部８ｃと、を備える。係止凹部８ｂと解除片部８ｃとは、リテイニングディスク８の周方向において、平板部８ａを挟んで交互に配置されている。係止凹部８ｂは、ブッシュ２の爪部２ｃが嵌め込まれる部位である。解除片部８ｃは、平板部８ａから離間するように延びており、側面視における平板部８ａと解除片部８ｃとの間に、爪部２ｃが通る空間８ｄが形成されている。このため、ブッシュ２に対してリテイニングディスク８を回転させることで、爪部２ｃに対してリテイニングディスク８を着脱可能に装着することができる。具体的に説明すると、爪部２ｃを空間８ｄに通して係止凹部８ｂの下面側（図４及び図５の上側）に嵌め込むと、係止凹部８ｂが爪部２ｃに係止されるため、爪部２ｃに対してリテイニングディスク８を装着することができる。一方、爪部２ｃを空間８ｄに通して解除片部８ｃの上面側（図４及び図５の下側）に潜り込ませると、リテイニングディスク８が爪部２ｃによる係止から解除されるため、ブッシュ２からリテイニングディスク８を取り外すことができる。
【００３８】
圧縮バネ９は、ガスバルブ６を弁座２ｂに押圧するとともに、リテイニングディスク８を爪部２ｃに押圧する部材である。圧縮バネ９は、ガスバルブ６とリテイニングディスク８との間に配置されている。圧縮バネ９の一方端部は、ダウンチューブ３の上端フランジ部３ａに係止されている。圧縮バネ９の他方端部は、リテイニングディスク８の係止凹部８ｂに係止されている。これにより、圧縮バネ９は、ガスバルブ６を弁座２ｂ側に向けて上方に付勢するとともに、リテイニングディスク８の係止凹部８ｂを爪部２ｃ側に向けて下方に付勢する。このような圧縮バネ９の付勢力により、ガスバルブ６が弁座２ｂに押圧されるとともに、リテイニングディスク８が爪部２ｃに押圧される。これにより、リテイニングディスク８が爪部２ｃに装着された状態が保持される。
【００３９】
図７は、リテイニングディスクを弁座側に押し込んだ状態を示す断面図である。図９は、図６と同じ断面における遷移断面図である。図７及び図９に示すように、圧縮バネ９の付勢力に抗して、リテイニングディスク８を弁座２ｂ側に押し込むと（図９の（ｂ）参照）、圧縮バネ９による爪部２ｃに対するリテイニングディスク８の押圧力が解除又は緩和される。これにより、ブッシュ２に対してリテイニングディスク８を回転させることができる。そして、この状態でブッシュ２に対してリテイニングディスク８を回転させることで（図９の（ｃ）参照）、爪部２ｃによるリテイニングディスク８の係止を解除して、ブッシュ２からリテイニングディスク８を取り外すことができる。
【００４０】
図８は、リテイニングディスクを弁座側に押し込むとともにガスバルブをリテイニングディスク側に押し込んだ状態を示す断面図である。図８に示すように、圧縮バネ９の付勢力に抗して、リテイニングディスク８を弁座２ｂ側に押し込むとともに（図９の（ｂ）参照）、ガスバルブ６をリテイニングディスク８側に押し込むと、圧縮バネ９による爪部２ｃに対するリテイニングディスク８の押圧力が解除又は緩和されるとともに、圧縮バネ９による弁座２ｂに対するガスバルブ６の押圧力も解除又は緩和される。これにより、ブッシュ２に対してリテイニングディスク８を回転させることができる。そして、この状態でブッシュ２に対してリテイニングディスク８を回転させることで（図９の（ｃ）参照）、爪部２ｃによるリテイニングディスク８の係止を解除して、ブッシュ２からリテイニングディスク８を取り外すことができる。
【００４１】
［フィッティングの保守装置］
次に、フィッティングの保守装置について説明する。
【００４２】
図１０は、第一実施形態に係るフィッティングの保守装置を示す正面図である。図１１は、図１０に示すフィッティングの保守装置にフィッティングを取り付けた状態を示す正面図である。図１２は、図１１に示すフィッティングの保守装置において昇降部のロッドを上昇させた状態を示す正面図である。図１０〜図１２に示すように、フィッティングの保守装置１０は、設置面に立設された基台１１に、リテイニングディスク８を弁座２ｂ側に押圧する押圧部１２と、押圧部１２によるリテイニングディスク８の押圧量を調整する調整部１３と、が取り付けられている。
【００４３】
押圧部１２は、弁座２ｂに対して爪部２ｃが上方を向くようにフィッティング１が載置されて、フィッティング１を上昇及び下降させる昇降部２１と、昇降部２１の上方に配置されて、昇降部２１により上昇されるフィッティング１のうちリテイニングディスク８にのみ当接されるヘッド部２２と、を備える。
【００４４】
昇降部２１は、基台１１に固定された円筒状のシリンダ２３と、ガス圧によりシリンダ２３に対して上昇及び下降する円柱状のロッド２４と、ロッド２４の上端部に取り付けられた回転部２５と、を備える。基台１１に対するシリンダ２３の固定は、例えば、ボルト締めにより行うことができる。
【００４５】
図１３は、回転部を示す図であり、（ａ）は平面図、（ｂ）は側面図、（ｃ）は斜視図である。図１０〜図１３に示すように、回転部２５は、ブッシュ２に対してリテイニングディスク８を回転させる部材である。回転部２５は、ロッド２４の上端部に取り付けられる回転基部２６と、回転基部２６から延びるハンドル部２７と、ブッシュ２が嵌め込まれる係止部２８と、係止部２８にブッシュ２が嵌め込まれた際にガスバルブ６に当接される先端押圧部２９と、を備える。
【００４６】
回転基部２６は、円筒状に形成されており、ロッド２４の上端部に取り付けられた際に、ロッド２４に対してロッド２４の中心軸線Ｂ周りに回転することが可能となっている。
【００４７】
ハンドル部２７は、回転基部２６の半径方向外方に延びており、ハンドル部２７をロッド２４の中心軸線Ｂ周りに回転させることで、回転部２５をロッド２４の中心軸線Ｂ周りに回転させることが可能となっている。
【００４８】
係止部２８は、回転基部２６の上面から円筒状に突出しており、ブッシュ２を被せることが可能となっている。係止部２８の外周面に、爪部２ｃが挿入される凹部３０が形成されている。このため、係止部２８にブッシュ２を被せると、爪部２ｃが凹部３０に挿入することで、爪部２ｃは回転方向Ａにおいて凹部３０に係止される。
【００４９】
先端押圧部２９は、係止部２８の上面から円筒状に突出しており、係止部２８にブッシュ２を被せた際に、ガスバルブ６のみに当接させることが可能となっている。つまり、先端押圧部２９の外径は、平面視においてブッシュ２から露出するガスバルブ６の外径よりも小さく、ガスバルブ６の内径よりも大きい。このため、係止部２８にブッシュ２を被せると、先端押圧部２９は、ブッシュ２には当接されずに、ガスバルブ６にのみ当接される。そして、シリンダ２３に対してロッド２４を上昇させると、先端押圧部２９がガスバルブ６を上昇させることにより、フィッティング１が上昇する。
【００５０】
図１４は、ヘッドを示す図であり、（ａ）は側面図、（ｂ）は正面図、（ｃ）は底面図である。図１０〜図１２及び図１４示すように、ヘッド部２２は、基台１１に固定される固定部３２と、回転部２５の鉛直上方に配置されるヘッド本体部３３と、固定部３２とヘッド本体部３３とを連結する連結部３４と、を備える。基台１１に対する固定部３２の固定は、例えば、ボルト締めにより行うことができる。
【００５１】
ヘッド本体部３３には、回転部２５に載置されたフィッティング１のダウンチューブ３が支持される溝３５が形成されている。溝３５は、ロッド２４の中心軸線Ｂを中心とする円形断面に形成されており、ヘッド本体部３３の上端から下端まで鉛直方向に直線状に延びている。溝３５の内径は、ダウンチューブ３の外径よりも僅かに大きい。また、ヘッド本体部３３は、連結部３４に接続される基部３６と、基部３６の下端から昇降部２１（回転部２５）に向けて円筒状に延びる円筒部３７と、円筒部３７の下端から昇降部２１（回転部２５）に向けて棒状に延びる複数の突起部３８と、を備える。
【００５２】
溝３５は、回転部２５に載置されたフィッティング１のダウンチューブ３が挿入されることで、フィッティング１を仮固定するための溝であり、基部３６、円筒部３７、突起部３８を貫通している。円筒部３７は、溝３５を内周面とする円筒状に形成されている。円筒部３７の肉厚は、ブッシュ２とダウンチューブ３との間の隙間寸法よりも小さい。突起部３８は、昇降部２１によりフィッティング１が上昇された際に、当該フィッティング１のリテイニングディスク８に当接される部位である。突起部３８は、リテイニングディスク８にのみ当接されるように、溝３５を囲むように配置されている。なお、本実施形態では、ヘッド本体部３３は３本の突起部３８を備えているものとして説明する。突起部３８の長さは、シリンダ２３に対してロッド２４を上昇させた際に、円筒部３７及び基部３６がフィッティング１に当接しない長さとなっている。
【００５３】
図１５は、調整部を示す図であり、（ａ）は平面図、（ｂ）は断面図である。図１６は、調整部の分解図であり、（ａ）はロッド側固定部の断面図、（ｂ）は基台側固定部の断面図である。図１０〜図１２、図１５及び図１６示すように、調整部１３は、昇降部２１によるフィッティング１の上昇高さを調整する。調整部１３は、基台１１に固定される基台側固定部４０と、ロッド２４に固定されるロッド側固定部４１と、を備える。
【００５４】
基台側固定部４０は、円筒状に形成されており、その内周面側にロッド２４が挿入されている。つまり、基台側固定部４０は、ロッド２４の全周を覆うように配置されている。なお、基台側固定部４０は、ロッド２４から離間されており、ロッド２４は、基台側固定部４０に干渉されることなく上昇及び下降することが可能となっている。基台１１に対する基台側固定部４０の固定は、例えば、ボルト締めにより行うことができる。
【００５５】
ロッド側固定部４１は、基台側固定部４０よりも下方に配置されており、基台側固定部４０に衝突することによりロッド２４の上昇を停止させる。また、ロッド側固定部４１は、基台側固定部４０側に向けて伸縮可能であり、基台側固定部４０に衝突することによりロッド２４の上昇高さを調整可能である。ロッド側固定部４１は、基部４２と、基部４２に対して伸縮可能な伸縮部４３と、伸縮部４３から延びるハンドル部４４と、ハンドル部４４を一時的にラッチするラッチ部４５と、を備える。
【００５６】
基部４２は、円筒状に形成されており、その内周面側にロッド２４が挿入されている。基部４２は、その下端部においてロッド２４に固定されている。ロッド２４に対する基部４２の固定は、例えば、ビス止めにより行うことができる。基部４２の上端部には、基部４２の半径方向外側に延びるフランジ部４６が形成されている。基部４２の上側部分の内周面には、雌ネジ４７が刻設されている。
【００５７】
伸縮部４３は、円筒状に形成されており、その内周面側にロッド２４が挿入されている。なお、伸縮部４３、ロッド２４から離間されている。伸縮部４３は、ロッド２４の中心軸線Ｂ方向から見た場合に、基台側固定部４０と重なる。このため、シリンダ２３に対してロッド２４を上昇させると、伸縮部４３が基台側固定部４０に衝突する。これにより、ロッド２４の上昇が停止する。
【００５８】
伸縮部４３の外周面には、雄ネジ４８が刻設されており、基部４２の内周面に刻設された雌ネジ４７に、回転可能に螺合されている。このため、基部４２に対して伸縮部４３を回転させることで、基部４２に対して伸縮部４３を上下方向に移動させることが可能となっている。そして、基部４２に対して伸縮部４３を上下方向に移動させることで、伸縮部４３が基台側固定部４０に衝突した際のロッド２４の高さを変えることができる。つまり、基部４２に対して伸縮部４３を回転させて上方に移動させると、伸縮部４３が基台側固定部４０に衝突するまでのロッド２４のストロークが短くなるため、伸縮部４３が基台側固定部４０に衝突した際のロッド２４の高さが低くなる。一方、基部４２に対して伸縮部４３を回転させて下方に移動させると、伸縮部４３が基台側固定部４０に衝突するまでのロッド２４のストロークが長くなるため、伸縮部４３が基台側固定部４０に衝突した際のロッド２４の高さが高くなる。
【００５９】
ハンドル部４４は、伸縮部４３の半径方向外方に延びており、ハンドル部４４をロッド２４の中心軸線Ｂ周りに回転させることで、基部４２に対して伸縮部４３を回転させることが可能となっている。
【００６０】
ラッチ部４５は、基部４２のフランジ部４６に設けられている。ラッチ部４５は、ハンドル部４４を所定の回転位置で一時的にラッチする部材である。ラッチ部４５は、フランジ部４６の複数個所に設けられており、ハンドル部４４を複数の回転位置で一時的にラッチすることが可能となっている。なお、ハンドル部４４に対するラッチ部４５のラッチは、例えば、ハンドル部４４に設けられた凹部に、ラッチ部４５の先端を嵌め込ませることにより行うことができる。
【００６１】
［フィッティングの保守方法］
次に、保守装置１０によるフィッティング１の保守方法について説明する。
【００６２】
この保守方法は、リテイニングディスク８を弁座２ｂ側に押圧する押圧ステップと、押圧ステップによるリテイニングディスク８の押圧量を調整する調整ステップと、を備える。
【００６３】
押圧ステップでは、まず、弁座２ｂに対して爪部２ｃが上方を向くようにフィッティング１を配置する。つまり、回転部２５の係止部２８にブッシュを被せることで、昇降部２１に、弁座２ｂに対して爪部２ｃが上方を向くようにフィッティング１を載置する。すると、爪部２ｃは、凹部３０に挿入されることで、回転方向Ａにおいて凹部３０に係止される。また、先端押圧部２９は、ブッシュ２には当接されずに、ガスバルブ６にのみ当接される。
【００６４】
押圧ステップでは、次に、フィッティング１を上昇させるとともに、リテイニングディスク８の設定高さ以上の上昇を阻止する。フィッティング１の上昇は、シリンダ２３に対してロッド２４を上昇させることにより行う。シリンダ２３に対してロッド２４を上昇させると、先端押圧部２９がガスバルブ６を上昇させることにより、フィッティング１が上昇する。一方、リテイニングディスク８がヘッド部２２の複数の突起部３８に当接することで、リテイニングディスク８の設定高さ以上の上昇が阻止される。すると、図８に示すフィッティング１のように、リテイニングディスク８が弁座２ｂ側に押し込まれるとともに、ガスバルブ６がリテイニングディスク８側に押し込まれる。これにより、圧縮バネ９による爪部２ｃに対するリテイニングディスク８の押圧力が解除又は緩和されるとともに、圧縮バネ９による弁座２ｂに対するガスバルブ６の押圧力も解除又は緩和される。そして、回転部２５のハンドル部２７を回転させることで、爪部２ｃに対してリテイニングディスク８を回転させて、ブッシュ２からリテイニングディスク８を取り外す。このとき、回転部２５のハンドル部２７を回転させずに、人力で、爪部２ｃに対してリテイニングディスク８を回転させてもよい。
【００６５】
調整ステップでは、調整部１３のハンドル部４４を回転させることで、押圧ステップにおけるフィッティングの上昇高さを調整する。つまり、ハンドル部４４を回転させて基部４２に対して伸縮部４３を回転させると、基部４２に対して伸縮部４３を上下方向に移動して、伸縮部４３が基台側固定部４０に衝突した際のロッド２４の高さが変わる。そこで、リテイニングディスク８が複数の突起部３８に当接してから、伸縮部４３が基台側固定部４０に衝突することによりロッド２４の上昇が停止するまでの距離が、ブッシュ２に対してリテイニングディスク８が回転可能となるための弁座２ｂに対するリテイニングディスク８の押込量と一致するように、基部４２に対して伸縮部４３を回転させる。これにより、伸縮部４３が基台側固定部４０に衝突することによりロッド２４の上昇が停止した際に、圧縮バネ９による爪部２ｃに対するリテイニングディスク８の押圧力が解除又は緩和されて、爪部２ｃに対してリテイニングディスク８を回転させることが可能となる。
【００６６】
その後、シリンダ２３に対してロッド２４を下降させることによりフィッティング１を下降させ、フィッティング１の各部品をばらすことで、フィッティング１の分解が完了する。そして、フィッティング１の保守を行う。保守の内容としては、消耗品であるガスバルブ６の交換や、部品の洗浄などがある。なお、フィッティング１の組立は、フィッティング１の分解手順を逆に行えばよい。
【００６７】
［他のフィッティングの保守方法］
上述したように、フィッティングの構造は製造会社ごとに異なる。そこで、図１７〜図１９を参照して、上記のフィッティング１とは異なる構造のフィッティングについて、説明する。図１７〜図１９は、他のフィッティングの断面図である。なお、以下では、フィッティング１と異なる部分についてのみ説明する。
【００６８】
図１７に示すフィッティング１Ａは、基本的にフィッティング１と同様であるが、フィッティング１Ａの分解及び組立を行う際にリテイニングディスク８Ａを弁座２ｂ側に押し込む量が、フィッティング１の場合よりも大きい。このようなフィッティング１Ａの分解及び組立を行う際は、調整ステップにおいて、フィッティング１の場合に比べて、伸縮部４３が基台側固定部４０に衝突した際のロッド２４の高さが低くなるように、基部４２に対して伸縮部４３を回転させる。
【００６９】
図１８に示すフィッティング１Ｂは、基本的にフィッティング１と同様であるが、フィッティング１Ｂの分解及び組立を行う際にリテイニングディスク８Ｂを弁座２ｂ側に押し込む量が、フィッティング１の場合よりも小さい。また、爪部２ｃＢが、ブッシュ２の下端部から少し上方にずれた位置に形成されており、リテイニングディスク８Ｂの殆どがブッシュ２の内周面側に没入している。このようなフィッティング１Ｂの分解及び組立を行う際は、調整ステップにおいて、フィッティング１の場合に比べて、伸縮部４３が基台側固定部４０に衝突した際のロッド２４の高さが高くなるように、基部４２に対して伸縮部４３を回転させる。なお、フィッティング１には棒状に延びる複数の突起部３８が当接されるとともに、これらの突起部３８はロッド２４の中心軸線Ｂを中心とした円筒状の円筒部３７から延びている。このため、ブッシュ２等の他部材に干渉されることなく、リテイニングディスク８Ｂを弁座２ｂ側に押し込むことができる。
【００７０】
図１９に示すフィッティング１Ｃは、基本的にフィッティング１と同様であるが、爪部２ｃＣに形成された穴から、ストッパ７Ｃのアーム部７ｃＣが突出している。このようなフィッティング１Ｃの分解及び組立を行う際も、フィッティング１Ｃに当接される複数の突起部３８が、ロッド２４の中心軸線Ｂを中心とした円筒状の円筒部３７から棒状に延びているため、アーム部７ｃＣに干渉されることなく、リテイニングディスク８を弁座２ｂ側に押し込むことができる。
【００７１】
このように、本実施形態に係るフィッティングの保守装置１０及び保守方法では、押圧部１２によりリテイニングディスク８を弁座２ｂ側に押圧すると、リテイニングディスク８が弁座２ｂ側に押し込まれることで、圧縮ばね９による爪部２ｃに対するリテイニングディスク８の押圧力が解除又は緩和される。これにより、ブッシュ２に対してリテイニングディスク８を回転させて、爪部２ｃによるリテイニングディスク８の係止を解除させることができるため、ブッシュ２からリテイニングディスク８を取り外すことができる。ここで、上述したように、複数の製造会社が製造した各フィッティング間で、ブッシュ２に対してリテイニングディスク８を回転可能とするためにリテイニングディスク８を弁座２ｂ側に押し込む量が異なる。しかしながら、調整部１３により、製造会社ごとに押圧部１２によるリテイニングディスク８の押圧量を調整することで、複数の製造会社が製造した各フィッティンについて、リテイニングディスク８を弁座２ｂ側に押し込み、爪部２ｃに対してリテイニングディスク８を回転させて、爪部２ｃからリテイニングディスク８を取り外すことができる。
【００７２】
また、昇降部２１により、弁座２ｂに対して爪部２ｃが上方を向くように載置されたフィッティング１を上昇させると、ヘッド部２２が、フィッティング１のうちリテイニングディスク８にのみ当接されることで、リテイニングディスク８の上昇が阻止される。すると、リテイニングディスク８が弁座２ｂ側に押し込まれて、圧縮ばね９による爪部２ｃに対するリテイニングディスク８の押圧力が解除又は緩和される。これにより、爪部２ｃに対してリテイニングディスク８を回転させて、ブッシュ２からリテイニングディスク８を取り外すことができる。そして、調整部１３により、昇降部２１によるフィッティング１の上昇高さを調整する。これにより、複数の製造会社が製造した各フィッティンについて、リテイニングディスク８を弁座２ｂ側に押し込み、爪部２ｃに対してリテイニングディスク８を回転させて、爪部２ｃからリテイニングディスク８を取り外すことができる。
【００７３】
また、基台１１に固定されたシリンダ２３に対してロッド２４をガス圧により上昇及び下降させることで、フィッティング１を簡易かつ確実に上昇及び下降させることができる。
【００７４】
また、ロッド２４に固定されたロッド側固定部４１が基台１１に固定された基台側固定部４０に衝突することで、ロッド２４の上昇が停止する。これにより、フィッティング１の上昇高さを正確に規定することができる。しかも、ロッド２４は、ガス圧により上昇するため、基台側固定部４０及びロッド側固定部４１に生じる衝撃を小さく抑えることができる。
【００７５】
また、ロッド側固定部４１が基台側固定部４０に衝突することでロッド２４の上昇が停止することから、ロッド側固定部４１を基台側固定部４０側に向けて伸縮させて、基台側固定部４０とロッド側固定部４１との間隔を伸縮させることで、フィッティング１の上昇高さを容易かつ確実に調整することができる。
【００７６】
また、が昇降部２１に向けて棒状に延びる複数の突起部３８がリテイニングディスク８に当接されるため、複数の製造会社が製造した各フィッティンを分解及び組立する際に、ヘッド部２２をリテイニングディスク８のみに当接させ易くなる。
【００７７】
また、複数の突起部３８が、ロッド２４の中心軸線Ｂを中心とした円筒状の円筒部３７から延びているため、円筒部３７の肉厚を薄くすることで、ブッシュ２とダウンチューブ３との間に他の障害物があったとしても、ヘッド部２２を当該障害物に当接するのを抑制することができる。
【００７８】
また、昇降部２１によりガスバルブ６を上昇及び下降させると、ヘッド部２２によりリテイニングディスク８が弁座２ｂ側に押し込まれるとともに、昇降部２１によりガスバルブ６がリテイニングディスク８側に押し込まれる。これにより、圧縮ばね９による爪部２ｃに対するリテイニングディスク８の押圧力が解除又は緩和されるだけでなく、圧縮ばね９による弁座２ｂに対するガスバルブ６の押圧力も解除又は緩和される。これにより、爪部２ｃに対してリテイニングディスク８を更に回転させ易くすることができる。
【００７９】
また、回転部２５により、ブッシュ２に対してリテイニングディスク８を回転させることで、ブッシュ２に対してリテイニングディスク８を容易に着脱することができる。
【００８０】
［第二実施形態］
次に、第二実施形態について説明する。第二実施形態は、基本的に第一実施形態と同様であるが、回転部の構造のみ第一実施形態と相違する。このため、以下では、第一実施形態と相違する事項のみ説明し、第一実施形態と同様の事項の説明を省略する。
【００８１】
図２０は、第二実施形態に係るフィッティングの保守装置を示す正面図である。図２１は、図２０に示すフィッティングの保守装置にフィッティングを取り付けた状態を示す正面図である。図２２は、図２１に示すフィッティングの保守装置において昇降部のロッドを上昇させた状態を示す正面図である。図２３は、回転部を示す図であり、（ａ）は平面図、（ｂ）は側面図、（ｃ）は斜視図である。図２０〜図２３に示すように、第二実施形態に係るフィッティングの保守装置１０Ａにおいて、回転部２５Ａは、ブッシュ２に対してリテイニングディスク８を回転させる部材である。回転部２５Ａは、ロッド２４の上端部に取り付けられる回転基部５１と、回転基部５１から延びるハンドル部５２と、ブッシュ２が嵌め込まれる係止部５３と、を備える。
【００８２】
回転基部５１は、円筒状に形成されており、ロッド２４の上端部に取り付けられた際に、ロッド２４に対してロッド２４の中心軸線Ｂ周りに回転することが可能となっている。回転基部５１の外径は、ブッシュ２の内径よりも大きい。
【００８３】
ハンドル部５２は、回転基部５１の半径方向外方に延びており、ハンドル部５２をロッド２４の中心軸線Ｂ周りに回転させることで、回転部２５Ａをロッド２４の中心軸線Ｂ周りに回転させることが可能となっている。
【００８４】
係止部５３は、回転基部５１の上面から円筒状に突出しており、ブッシュ２を被せることが可能となっている。係止部５３に被せられたブッシュ２は、その下端面において回転基部５１の上面に当接される。そして、シリンダ２３に対してロッド２４を上昇させると、回転基部５１がブッシュ２を上昇させることにより、フィッティング１が上昇する。
【００８５】
係止部５３には、爪部２ｃが挿入される凹部５４が形成されている。このため、係止部５３にブッシュ２を被せると、爪部２ｃが凹部５４に挿入することで、爪部２ｃは回転方向Ａにおいて凹部５４に係止される。なお、凹部５４は、係止部５３を切り欠くことにより形成されており、係止部５３は、凹部５４を挟んだ間欠的な円筒状をなしている。
【００８６】
次に、保守装置１０Ａによるフィッティング１の保守方法について説明する。
【００８７】
この保守方法は、基本的に第一実施形態と同様であり、押圧ステップにおいて、リテイニングディスク８を弁座２ｂ側に押圧する仕組みのみ第一実施形態と相違する。
【００８８】
押圧ステップでは、まず、弁座２ｂに対して爪部２ｃが上方を向くようにフィッティング１を配置する。つまり、回転部２５Ａの係止部５３にブッシュを被せることで、昇降部２１に、弁座２ｂに対して爪部２ｃが上方を向くようにフィッティング１を載置する。すると、爪部２ｃは、凹部５４に挿入されることで、回転方向Ａにおいて凹部５４に係止される。また、ブッシュ２は、回転基部５１の上面に当接される。
【００８９】
押圧ステップでは、次に、フィッティング１を上昇させるとともに、リテイニングディスク８の設定高さ以上の上昇を阻止する。フィッティング１の上昇は、シリンダ２３に対してロッド２４を上昇させることにより行う。シリンダ２３に対してロッド２４を上昇させると、回転基部５１がガスバルブ６を上昇させることにより、フィッティング１が上昇する。一方、リテイニングディスク８がヘッド部２２の複数の突起部３８に当接することで、リテイニングディスク８の設定高さ以上の上昇が阻止される。すると、図7に示すフィッティング１のように、リテイニングディスク８が弁座２ｂ側に押し込まれる。これにより、圧縮バネ９による爪部２ｃに対するリテイニングディスク８の押圧力が解除又は緩和される。そして、回転部２５Ａのハンドル部５２を回転させることで、爪部２ｃに対してリテイニングディスク８を回転させて、ブッシュ２からリテイニングディスク８を取り外す。なお、第二実施形態では、圧縮ばね９による弁座２ｂに対するガスバルブ６の押圧力は解除又は緩和されないため、人力で、爪部２ｃに対してリテイニングディスク８を回転させることは難しい。
【００９０】
なお、調整ステップ及びその他の方法は、第一実施形態と同様である。
【００９１】
このように、本実施形態に係るフィッティングの保守装置１０Ａ及び保守方法では、昇降部２１の回転基部５１によりブッシュ２を上昇及び下降させると、ヘッド部２２によりリテイニングディスク８が弁座２ｂ側に押し込まれることで、圧縮バネ９による爪部２ｃに対するリテイニングディスク８の押圧力が解除又は緩和される。これにより、爪部２ｃに対してリテイニングディスク８を回転させ易くすることができる。
【００９２】
また、回転部２５Ａにより、ブッシュ２に対してリテイニングディスク８を回転させることで、圧縮ばね９による弁座２ｂに対するガスバルブ６の押圧力が解除されていなくても、ブッシュ２に対してリテイニングディスク８を容易に着脱することができる。
【００９３】
以上、本発明の実施形態について説明したが、本発明は上記実施形態に限定されるものではない。例えば、上記実施形態では、押圧部及び調整部の具体的な形態について説明したが、それぞれが果たす機能を備えるものであれば、如何なるものに代替してもよい。また、上記実施形態では、ロッド側固定部が基台側固定部側に向けて伸縮可能であるものとして説明したが、基台側固定部がロッド側固定部側に向けて伸縮可能であるものとしてもよい。また、上記実施形態では、保守装置及び保守方法がフィッティングの分解及び組立を行うものとして説明したが、保守装置及び保守方法は、フィッティングの分解のみを行う装置及び方法であってもよく、フィッティングの組立のみを行う装置及び方法であってもよい。
【符号の説明】
【００９４】
１，１Ａ，１Ｂ，１Ｃ…フィッティング、２…ブッシュ、２ａ…係止片、２ｂ…弁座、２ｃ，２ｃＢ，２ｃＣ…爪部、２ｄ…側面開口、３…ダウンチューブ、３ａ…上端フランジ部、３ｂ…段差部、４…飲料バルブ、５…液体流路用圧縮バネ、６…ガスバルブ、６ａ…芯金、６ｂ…弁部、７，７Ｃ…ストッパ、７ａ…固定部、７ｂ…突出部、７ｃＣ…アーム部、８，８Ａ，８Ｂ…リテイニングディスク、８ａ…平板部、８ｂ…係止凹部、８ｃ…解除片部、８ｄ…空間、９…圧縮バネ、１０，１０Ａ…保守装置、１１…基台、１２…押圧部、１３…調整部、２１…昇降部、２２…ヘッド部、２３…シリンダ、２４…ロッド、２５，２５Ａ…回転部、２６…回転基部、２７…ハンドル部、２８…係止部、２９…先端押圧部、３０…凹部、３２…固定部、３３…ヘッド本体部、３４…連結部、３５…溝、３６…基部、３７…円筒部、３８…突起部、４０…基台側固定部、４１…ロッド側固定部、４２…基部、４３…伸縮部、４４…ハンドル部、４５…ラッチ部、４６…フランジ部、４７…雌ネジ、４８…雄ネジ、５１…回転基部、５２…ハンドル部、５３…係止部、５４…凹部、１００…樽容器、１０１…口金、Ａ…回転方向、Ｂ…中心軸線、Ｇ…ガス流路、Ｌ…液体流路。
【図１】
0006738615.tif 000002
【図２】
0006738615.tif 000003
【図３】
0006738615.tif 000004
【図４】
0006738615.tif 000005
【図５】
0006738615.tif 000006
【図６】
0006738615.tif 000007
【図７】
0006738615.tif 000008
【図８】
0006738615.tif 000009
【図９】
0006738615.tif 000010
【図１０】
0006738615.tif 000011
【図１１】
0006738615.tif 000012
【図１２】
0006738615.tif 000013
【図１３】
0006738615.tif 000014
【図１４】
0006738615.tif 000015
【図１５】
0006738615.tif 000016
【図１６】
0006738615.tif 000017
【図１７】
0006738615.tif 000018
【図１８】
0006738615.tif 000019
【図１９】
0006738615.tif 000020
【図２０】
0006738615.tif 000021
【図２１】
0006738615.tif 000022
【図２２】
0006738615.tif 000023
【図２３】
0006738615.tif 000024